(57)【要約】【課題】画像形成装置の外部に配設された配線の外観を良好にできると共に、これら配線を引っ掛かり難く配設することができる画像形成装置の配線構造を提供する。【解決手段】画像形成装置の本体部２と該本体部２の外部に設置したＡＤＦ機構部とを接続する配線を備えた画像形成装置の配線構造であって、ＡＤＦ機構部から出て画像形成装置の外部に配設されている制御用配線２１とアース配線２２とを被覆チューブ２３で同包し、該被覆チューブ２３で同包した制御用配線２１とアース配線２２を、本体部２の板金カバー２０に設けた挿通部２８から本体部２の内部に導入し、本体部２の内部で被覆チューブ２３の開口端２３ａから出たアース配線２２を、挿通部２８を通して本体部２の外部に再度導出してから板金カバー２０の外面に接続するように構成した。【選択図】図３
2008135877.tif 000002
【特許請求の範囲】
【請求項１】
画像形成装置の本体部と該本体部の外部に設置した機構部とを接続する配線を備えた画像形成装置の配線構造であって、
前記機構部から出て前記画像形成装置の本体部の外部に配設されているアース配線と他の配線とを被覆材で同包し、該被覆材で同包したアース配線と他の配線を、前記本体部に設けた挿通部から前記本体部の内部に導入し、前記本体部の内部で前記被覆材の端部から出た前記アース配線を、前記挿通部を通して前記本体部の外部に再度導出してから前記本体部に接続したことを特徴とする画像形成装置の配線構造。
【請求項２】
請求項１に記載の画像形成装置の配線構造において、
前記被覆材は、前記アース配線と他の配線とを被覆する筒状の被覆チューブであることを特徴とする画像形成装置の配線構造。
【請求項３】
請求項１又は２に記載の画像形成装置の配線構造において、
前記挿通部は、前記本体部が備える金属製のカバー部材に設けられており、前記挿通部を通って本体部の外部に導出されている前記アース配線が、前記カバー部材の外面に接続されていることを特徴とする画像形成装置の配線構造。
【請求項４】
請求項３に記載の画像形成装置の配線構造において、
前記挿通部は、前記カバー部材に設けた開口部を開閉する開閉カバーに形成されており、前記アース配線が、前記開閉カバーを前記カバー部材に固定する固定部に取り付けられていることを特徴とする画像形成装置の配線構造。
【発明の詳細な説明】
【技術分野】
【０００１】
本発明は、画像形成装置の本体部と該本体部の外部に設置した機構部とを接続する配線を備えた画像形成装置の配線構造に関するものである。
【背景技術】
【０００２】
ファクシミリやコピー機などの画像形成装置では、特許文献１に示すように、画像読取部に原稿用紙を搬送する自動原稿搬送機構部（以下、「ＡＤＦ機構部」という。）が設置されている。このＡＤＦ機構部は、本体部の上面のプラテンガラス上に開閉自在に取り付けた原稿押えカバーに設置されており、本体部とは別の機構部として構成されている。そのため、本体部からこのＡＤＦ機構部へ制御信号や電源を供給するための制御用配線が設けられている。この制御用配線は、ＡＤＦ機構部から出て、本体部の内部の制御装置や電源装置などに接続されている。また、ＡＤＦ機構部で発生した静電気を本体部側に設けた接地部品に逃がすためのアース配線が設けられており、このアース配線も、ＡＤＦ機構部から出て本体部の板金部材などの接地された部品に接続されている。
【特許文献１】特開２００４−３４３４９１号公報
【発明の開示】
【発明が解決しようとする課題】
【０００３】
ところで、上記のＡＤＦ機構部から出ている制御用配線とアース配線は、画像形成装置の背面側などの外部を通って配設されているが、従来の制御用配線とアース配線は、画像形成装置の外部で各々独立に配設されていた。このように、画像形成装置の外部に露出している複数の配線が独立に配設されていると、それによって画像形成装置の外観が煩雑になるという問題があった。一方で、アース配線は細い配線であるため、これが画像形成装置の外部に単独で配設されていると、引っ掛かり易く邪魔になるという問題もあった。
【０００４】
本発明は上述の点に鑑みてなされたものでありその目的は、画像形成装置の外部に配設された配線の外観を良好にできると共に、これら配線を引っ掛かり難く配設することができる画像形成装置の配線構造を提供することにある。
【課題を解決するための手段】
【０００５】
上記課題を解決するため本願の請求項１に記載の発明は、画像形成装置の本体部と該本体部の外部に設置した機構部とを接続する配線を備えた画像形成装置の配線構造であって、前記機構部から出て前記画像形成装置の本体部の外部に配設されているアース配線と他の配線とを被覆材で同包し、該被覆材で同包したアース配線と他の配線を、前記本体部に設けた挿通部から前記本体部の内部に導入し、前記本体部の内部で前記被覆材の端部から出た前記アース配線を、前記挿通部を通して前記本体部の外部に再度導出してから前記本体部に接続したことを特徴とする。
【０００６】
本願の請求項２に記載の発明は、請求項１に記載の画像形成装置の配線構造において、前記被覆材は、前記アース配線と他の配線とを被覆する筒状の被覆チューブであることを特徴とする。
【０００７】
本願の請求項３に記載の発明は、請求項１又は２に記載の画像形成装置の配線構造において、前記挿通部は、前記本体部が備える金属製のカバー部材に設けられており、前記挿通部を通って本体部の外部に導出されている前記アース配線が、前記カバー部材の外面に接続されていることを特徴とする。
【０００８】
本願の請求項４に記載の発明は、請求項３に記載の画像形成装置の配線構造において、前記挿通部は、前記カバー部材に設けた開口部を開閉する開閉カバーに形成されており、前記アース配線が、前記開閉カバーを前記カバー部材に固定する固定部に取り付けられていることを特徴とする。
【発明の効果】
【０００９】
本願の請求項１に記載の発明によれば、機構部から出て画像形成装置の本体部の外部に配設されているアース配線と他の配線とを被覆材で同包し、該被覆材で同包したアース配線と他の配線を、本体部に設けた挿通部から本体部の内部に導入し、本体部の内部で被覆材の端部から出たアース配線を、挿通部を通して本体部の外部に再度導出してから本体部に接続したので、画像形成装置の外部に配設されているアース配線と他の配線の配設構造を簡単にでき、その外観を良好にすることができる。特に、被覆材でアース配線と他の配線を同包して、それを一度画像形成装置の内部に導入してから、アース配線だけを再度本体部の外部に導出するように構成したことで、本体部の外部に露出するアース配線の配設構造が簡単になるので、アース配線が引っ掛かったり邪魔になったりするおそれが少なくなる。
【００１０】
本願の請求項２に記載の発明によれば、被覆材は、アース配線と他の配線とを被覆する筒状の被覆チューブなので、制御用配線とアース配線の取り付けを簡単に行えると共に、その外観をさらに良好にすることができる。
【００１１】
本願の請求項３に記載の発明によれば、挿通部は、本体部が備える金属製のカバー部材に設けられており、挿通部を通って本体部の外部に導出されているアース配線が、カバー部材の外面に接続されているので、カバー部材の外部に露出する配線が、被覆材で同包されたアース配線及び他の配線と、挿通部から再度導出されたアース配線だけになるので、画像形成装置の外部に露出する配線構造の外観を良好にすることができる。
【００１２】
本願の請求項４に記載の発明によれば、挿通部は、カバー部材に設けた開口部を開閉する開閉カバーに形成されており、アース配線が、開閉カバーをカバー部材に固定する固定部に取り付けられているので、アース配線の取り付け作業を簡単にできると共に、画像形成装置の部品点数を少なく抑えてその構造を簡単にすることができる。
【発明を実施するための最良の形態】
【００１３】
以下、本発明の実施形態を図面に基づいて詳細に説明する。図１は、本発明の一実施形態にかかる配線構造を備えた画像形成装置の外観構成例を示す斜視図である。また図２は、画像形成装置をその背面側から見た側面図である。まず、これらの図を用いて画像形成装置の概略全体構成について説明する。本発明を適用する画像形成装置としては、下記するＡＤＦ機構部のような本体部とは別の機構部を備えた画像形成装置であれば、コピー機やファクシミリ装置やプリンタあるいはこれらの機能を兼ね備えたいわゆる複合機のうちのいずれであっても良い。図１に示す画像形成装置１は、本体部２と、該本体部２の上部に設置した原稿押えカバー３に設けたＡＤＦ機構部４とを備えて構成されている。
【００１４】
本体部２は、その上段側が原稿の画像を読み取る読取部５になっており、下段側が用紙に画像を記録する記録部６になっている。読取部５は、その上面に配設されたプラテンガラス（図示せず）上に載置される原稿の画像を走査して読み取る画像読取装置７を備えている。また、読取部５の前面側には、この画像形成装置１を操作する操作キー８ａが配列された操作パネル８が設置されている。また、記録部６は、用紙に画像を記録する記録装置９と、該記録装置９に用紙を供給する給紙カセット１０ａを備えた給紙装置１０とを具備して構成されている。
【００１５】
一方、読取部５の上部には、原稿押えカバー３が取り付けられている。この原稿押えカバー３は、図２に示すように、本体部２の背面側の上端辺にヒンジ機構１１，１１を介して取り付けられており、プラテンガラス上に載置された閉位置と、この閉位置から上方に開かれた開位置との間で開閉自在になっている。そして、この原稿押えカバー３の一方の側部にＡＤＦ機構部４が設けられている。ＡＤＦ機構部４は、用紙を搬送する搬送ローラが設置された横向き略Ｕ字型の用紙搬送路（図示せず）が内部に形成されていると共に、側部に取り付けた原稿供給トレイ１２と、該原稿供給トレイ１２の下部の原稿押えカバー３上に設けた原稿排出トレイ１３とを備えている。このＡＤＦ機構部４は、原稿押えカバー３を閉じた状態で、原稿供給トレイ１２上に載置された複数枚の原稿を順に内部に繰り込んで用紙搬送路を搬送し、該用紙を読取部５のプラテンガラス上に搬送する。そして、画像読取装置７でプラテンガラス上を通過する原稿の画像が読み取られたら、該原稿を原稿排出トレイ１３へ排出するようになっている。一方、図２に示すように、画像形成装置１の本体部２の背面側には、金属製の板状部材からなる板金カバー（カバー部材）２０が取り付けられている。この板金カバー２０は、図示は省略するが、本体部２内で接地された導電性の部材に接続されている。
【００１６】
図３は、本体部２の背面側の板金カバー２０に設けた開口部２５を示す図で、開口部２５に取り付けた開閉カバー２６を開いた状態を示す図である。同図及び先の図２に示すように、画像形成装置１の背面側には、本体部２とＡＤＦ機構部４とを接続する制御用配線２１が配設されている。この制御用配線２１は、本体部２からＡＤＦ機構部４へ送られる制御信号が流れる配線や、本体部２に設けた電源装置（図示せず）からＡＤＦ機構部４に供給される電源電流が流れる配線など多数の配線を束ねて構成されたハーネス配線である。また、画像形成装置１の背面側には、ＡＤＦ機構部４から出ているアース配線２２も配設されている。アース配線２２は、ＡＤＦ機構部４で発生した静電気を外部に逃がすための配線である。このアース配線２２は一本の線材で構成されていて、その先端部には、板金カバー２０に接続される接続端子部２２ａが設けられている。そして、ＡＤＦ機構部４から出ているこれら制御用配線２１とアース配線２２が、被覆材である樹脂製の筒状の被覆チューブ２３で被覆されて同包されて（同一の被覆チューブ２３に共に包まれて）いる。
【００１７】
また、図３に示す板金カバー２０に設けた開口部２５は、ＡＤＦ機構部４から出ている制御用配線２１を、本体部２内に設けた接続用配線（図示せず）に接続するためのメンテンナンス用の開口部である。この開口部２５には、該開口部２５を開閉する開閉カバー２６が取り付けられている。開閉カバー２６は、その一方の側辺が図示しないヒンジ機構で回動可能に取り付けられており、回動端辺には、開閉カバー２６を固定する固定部２７が設けられている。この固定部２７は、開閉カバー２６の回動端辺に設けたネジ穴２６ａと板金カバー２０の開口部２５の端辺に設けたネジ穴２５ａとにネジ２７ａを締結することで、開閉カバー２６を板金カバー２０に固定するものである。また、開閉カバー２６の略中央部には、制御用配線２１とアース配線２２を挿通するための貫通孔からなる挿通部２８が設けられている。
【００１８】
そして、図３に示すように、被覆チューブ２３に同包された制御用配線２１とアース配線２２が、挿通部２８から本体部２の内部に導入されている。このとき、被覆チューブ２３の一方の開口端（本体部２側の開口端）２３ａは、挿通部２８に挿入されて本体部２の内部に配置されている。したがって被覆チューブ２３は、本体部２の背面側に露出している制御用配線２１とアース配線２２の全体（原稿押えカバー３の背面側の端辺に設けたこれら配線が引き出されている凹部３ａ（図２参照）から、本体部２の開閉カバー２６に設けた挿通部２８まで）を覆うように取り付けられている。一方、本体部２の内部で被覆チューブ２３の開口端２３ａから出ている制御用配線２１は、コネクタで本体部２の内部の接続用配線（図示せず）に接続されている。したがって、ＡＤＦ機構部４の交換やメンテナンスを行う際には、開閉カバー２６を開けて前記のコネクタの取り付け・取り外しを行う。
【００１９】
また、本体部２の内部で被覆チューブ２３の開口端２３ａから出ているアース配線２２は、挿通部２８を通って本体部２の外部に再度導出されている。本体部２の外部に再度導出されたアース配線２２は、開閉カバー２６の外側（外面）で、固定部２７に取り付けたネジ２７ａに共締めされて固定されている。これにより、開閉カバー２６を閉じた状態で画像形成装置１の背面側を外部から見ると、図２に示すように、被覆チューブ２３で被覆されて一本の配線状になっている制御用配線２１とアース配線２２が、ＡＤＦ機構部４から出て挿通部２８に挿入されていると共に、これとは別に、挿通部２８からアース配線２２が単独で導出されており、このアース配線２２の接続端子部２２ａが、開閉カバー２６の固定部２７のネジ２７ａに共締めされて取り付けられている。
【００２０】
以上説明したように、本実施形態の画像形成装置１の配線構造では、ＡＤＦ機構部４から出ているアース配線２２と、他の配線である制御用配線２１とが、被覆チューブ２３に同包された状態で、本体部２に設けた挿通部２８を通って本体部２の内部に挿入されていると共に、本体部２の内部で被覆チューブ２３の開口端２３ａから出ているアース配線２２が、挿通部２８を通って本体部２の外部に再度導出されてから本体部２に接続されているので、画像形成装置１の外部に配設されている制御用配線２１とアース配線２２の配設構造が簡単になり、その外観を良好にすることができる。特に、被覆チューブ２３で制御用配線２１とアース配線２２を同包して、それを一度画像形成装置１の内部に導入してから、アース配線２２だけを本体部２の外部に再度導出するように構成したことで、本体部２の外部に露出するアース配線２２の配設構造が簡単になるため、アース配線２２が引っ掛かったり邪魔になったりするおそれが少なくなる。
【００２１】
また、本実施形態では、アース配線２２を一度本体部２内に導入していることで、被覆チューブ２３の途中からアース配線２２を引き出す必要がないため、被覆材として筒状の被覆チューブ２３を用いることができる。これにより、制御用配線２１とアース配線２２の外観をさらに良好にすることができる。なお、制御用配線２１とアース配線２２を筒状の被覆チューブ２３で被覆した本実施形態の配線構造は、従来から採用されている帯状のテープ材を螺旋状に巻き回して被覆した配線構造と比較して、配線の取り付け作業を簡単にすることができる上に、テープ材が解けて被覆されている制御用配線２１とアース配線２２がバラけたりするおそれもないので、配線の耐久性を向上させることができる。
【００２２】
さらに本実施形態では、本体部２の外部に導出されているアース配線２２を、開閉カバー２６を板金カバー２０に固定する固定部２７に取り付けているので、アース配線２２の取付箇所と開閉カバー２６の固定箇所を共通の箇所にでき、アース配線２２の取付作業を簡単にできると共に、画像形成装置１の部品点数を少なく抑えてその構造を簡単にすることができる。
【００２３】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、本発明の配線構造で本体部２と接続されている機構部は、上記のＡＤＦ機構部４には限定されず、本体部２の外部に設置した本体部２とは別の機構部であれば、ＡＤＦ機構部４以外の他の機構部であっても良い。また、アース配線２２と共に被覆チューブ２３に同包される他の配線は、上記した制御用配線２１には限らず他の種類の配線であってもよい。また、上記の被覆チューブ２３の構成は一例であり、本発明の配線構造に用いる被覆材としては、他の材質や形状の被覆材を用いることも可能である。
【図面の簡単な説明】
【００２４】
【図１】本発明の一実施形態にかかる配線構造を備えた画像形成装置の外観構成例を示す斜視図である。
【図２】画像形成装置の背面側の外観構成例を示す側面図である。
【図３】画像形成装置の本体部の板金カバーに設けた開口部を示す図で、該開口部に取り付けた開閉カバーを開いた状態を示す図である。
【符号の説明】
【００２５】
１      画像形成装置
２      本体部
３      原稿押えカバー
４      自動原稿搬送機構部（ＡＤＦ機構部）
５      読取部
６      記録部
７      画像読取装置
８      操作パネル
９      記録装置
１０    給紙装置
１１    ヒンジ機構
１２    原稿供給トレイ
１３    原稿排出トレイ
２０    板金カバー（カバー部材）
２１    制御用配線
２２    アース配線
２３    被覆チューブ（被覆材）
２３ａ  開口端（端部）
２５    開口部
２６    開閉カバー
２７    固定部
２７ａ  ネジ
２８    挿通部
【図１】
2008135877.tif 000003
【図２】
2008135877.tif 000004
【図３】
2008135877.tif 000005